(57)【特許請求の範囲】
【請求項１】
遊技制御を行う遊技制御用ＣＰＵを備える制御回路基板と、
前記制御回路基板を収納し、該制御回路基板を封止するためのケースであって、第一のケース体と第二のケース体を合体させた箱状の基板収納ケースと、を備え、
前記第一のケース体は、自身の外周に面した第一の外壁部を有し、
前記第二のケース体は、自身の外周に面した第二の外壁部を有し、
前記第一の外壁部と前記第二の外壁部から囲まれる空間内に設けられて前記封止の状態を保持すると共に、前記第一の外壁部または前記第二の外壁部のいずれか一方の少なくとも一部を破壊しない限り前記封止の状態の解除が不可とされた封止保持部を備えた遊技台であって、
前記基板収納ケースは、前記第一の外壁部と前記封止保持部の間の空隙に前記第二のケース体の一部である内壁部が配置される、または前記第二の外壁部と前記封止保持部の間の空隙に前記第一のケース体の一部である内壁部が配置されるように構成され、
前記第一のケース体と前記第二のケース体の各々には、前記封止の状態において連通する連通孔が形成され、
前記封止保持部は、前記連通孔に挿入される挿入部材の一部に形成されると共に、前記挿入部材の非挿入方向への移動を規制する規制部を含み、
前記規制部は、前記挿入部材の先端付近に形成された第一の規制部と、前記先端付近から離れた第二の規制部と、を含み、
前記内壁部は、前記第一の外壁部と前記第一の規制部の間の空隙または前記第二の外壁部と前記第一の規制部の間の空隙に配置される第一の内壁部と、前記第一の外壁部と前記第二の規制部の間の空隙に配置される第二の内壁部と、を含むことを特徴とする、遊技台。
【請求項２】
請求項１に記載の遊技台であって、
前記第一の内壁部は、前記第一の規制部が前記封止の状態を保持する位置で、前記第一の規制部の周囲を囲む形状とされ、
前記第二の内壁部は、前記第二の規制部が前記封止の状態を保持する位置で、前記第二の規制部の周囲を囲む形状とされていることを特徴とする、遊技台。
【発明の詳細な説明】
【技術分野】
【０００１】
本発明は、回胴遊技機（スロットマシン）や弾球遊技機（パチンコ機）に代表される遊技台に関する。
【背景技術】
【０００２】
従来、遊技台の制御基板を収納する基板収納ケースには、制御基板に対する不正行為を防止するための封止構造（かしめ構造、封印構造）が設けられている。この封止構造は、一般的に、基板収納ケースの一部または封止構造の一部を破壊しない限り基板収納ケースを開放（開封）できないように構成されており、基板収納ケースを開放した痕跡を残すことで、制御板に対する不正行為を発見することができるようになっている。
【０００３】
このような遊技台の基板収納ケースにおける封止構造として、例えば基板収納ケースを構成するケース本体およびカバー体とを一方向ビス（ワンウェイネジ）によって封止する構造のものが開示されている（例えば、特許文献１参照）。
【先行技術文献】
【特許文献】
【０００４】
【特許文献１】特開２００１−３１４６２４号公報
【発明の概要】
【発明が解決しようとする課題】
【０００５】
しかしながら、近年では、遊技台から取り出した複数の基板収納ケースを組み合わせて新たな基板収納ケースを不正に再生する不正行為（いわゆるニコイチ不正）が発生している。この不正行為の手口は、例えば基板収納ケースがケース本体とカバー体とから構成され、一方向ビスによって封止されている場合に、まず２つの基板収納ケースを用意して、一方の基板収納ケースではケース本体を傷つけずにカバー体のみを破壊することでケース本体と一方向ビスを取り出し、他方の基板収納ケースでは、カバー体を傷つけずにケース本体のみを破壊することでカバー体を取り出す。そして、取り出したケース本体、一方向ビスおよびカバー体を組み合わせて新たに一つの不正な基板収納ケースを再生するものである。
【０００６】
この新たに再生した基板収納ケース内に、不正に改造した制御基板を収納して遊技台内部に設置された場合、制御基板が不正に改造されていることを発見するのが非常に困難となる。しかしながら、従来の封止構造では、このような新たな不正行為を防止することが難しいという問題があった。
【０００７】
本発明は、このような問題点を解決するためになされたものであって、複数の基板収納ケースから取り出した部材を組み合わせて新たな基板収納ケースを再生する不正行為を効果的に防止することが可能な遊技台を提供しようとするものである。
【課題を解決するための手段】
【０００８】
本発明は、遊技制御を行う遊技制御用ＣＰＵを備える制御回路基板と、前記制御回路基板を収納し、該制御回路基板を封止するためのケースであって、第一のケース体と第二のケース体を合体させた箱状の基板収納ケースと、を備えた遊技台であって、前記第一のケース体は、自身の外周に面した第一の外壁部を有し、前記第二のケース体は、自身の外周に面した第二の外壁部を有し、前記第一の外壁部と前記第二の外壁部から囲まれる空間内に設けられて前記封止の状態を保持すると共に、前記第一の外壁部または前記第二の外壁部のいずれか一方を少なくとも破壊しない限り前記封止の状態の解除が不可とされた封止保持部を備え、前記基板収納ケースは、前記第一の外壁部と前記封止保持部の間の空隙に前記第二のケース体の一部である内壁部が配置されている、または前記第二の外壁部と前記封止保持部の間の空隙に前記第一のケース体の一部である内壁部が配置されていることを特徴とする、遊技台である。
【発明の効果】
【０００９】
本発明に係る遊技台によれば、複数の基板収納ケースから取り出した部材を組み合わせて新たな基板収納ケースを再生する不正行為を効果的に防止することが可能という優れた効果を奏し得る。
【図面の簡単な説明】
【００１０】
【図１】本発明の第１の実施形態に係るスロットマシンの外観斜視図を示したものである。
【図２】前面扉を開けた状態のスロットマシンを示す正面図である。
【図３】制御部の回路ブロック図を示したものである。
【図４】（ａ）主制御基板収納ケースの正面図である。（ｂ）主制御基板収納ケースの背面図である。
【図５】（ａ）主制御基板収納ケースの外観斜視図である。（ｂ）主制御基板収納ケースの分解斜視図である。
【図６】（ａ）図５（ｂ）におけるＡ部およびＢ部の拡大図である。（ｂ）一旦封止した主制御基板収納ケースを開封した状態を示した斜視図である。
【図７】（ａ）基板側封止部を拡大して示した斜視図である。（ｂ）封止ピンの外観斜視図である。
【図８】（ａ）および（ｂ）蓋側封止部を拡大して示した斜視図である。
【図９】（ａ）主制御基板収納ケースの一部を示した平面図である。（ｂ）図９（ａ）のＣ−Ｃ線断面を拡大して示した断面図である。
【図１０】（ａ）主制御基板収納ケースの正面図である。（ｂ）図１０（ａ）のＤ−Ｄ線断面図である。（ｃ）図１０（ａ）のＥ−Ｅ線断面図である。
【図１１】（ａ）および（ｂ）第２の実施形態の基板側封止部を拡大して示した斜視図である。
【図１２】（ａ）および（ｂ）第２の実施形態の蓋側封止部を拡大して示した斜視図である。
【図１３】（ａ）主制御基板収納ケースの一部を示した平面図である。（ｂ）図１３（ａ）のＦ−Ｆ線断面を拡大して示した断面図である。
【図１４】（ａ）主制御基板収納ケースの正面図である。（ｂ）図１４（ａ）のＧ−Ｇ線断面図である。
【図１５】（ａ）第３の実施形態の主制御基板収納ケースの外観斜視図である。（ｂ）主制御基板収納ケースの分解斜視図である。
【図１６】（ａ）図１５（ａ）のＨ−Ｈ線断面図である。（ｂ）図１５（ａ）のＩ−Ｉ線断面図である。
【図１７】（ａ）および（ｂ）第４の実施形態の主制御基板収納ケースの一部を示した斜視図である。
【図１８】（ａ）および（ｂ）封止部の断面を示した断面図である。
【発明を実施するための形態】
【００１１】
以下、図面を用いて、本発明の実施形態に係る遊技台（例えば、スロットマシン１００等の回胴遊技機やパチンコ機等の弾球遊技機）について詳細に説明する。
【００１２】
＜第１の実施形態＞
まず、本発明の第１の実施形態に係るスロットマシン１００について説明する。
【００１３】
＜全体構成＞
まず、図１および２を用いて、スロットマシン１００の全体構成について説明する。図１は、スロットマシン１００の外観斜視図を示したものである。
【００１４】
図１に示すスロットマシン１００は、本体１０１と、本体１０１の正面に取り付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１５】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１６】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１７】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして設定してもよく、ベット数に関係なく、一律に同一数の入賞ラインを有効な入賞ラインとして設定してもよい。
【００１８】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１９】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００２０】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００２１】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００２２】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２３】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２４】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。音孔１５９は、スロットマシン１００内部に設けられているスピーカの音を外部に出力するための孔である。前面扉１０２の左右各部に設けられたサイドランプ１４４は、遊技を盛り上げるための装飾用のランプである。前面扉１０２の上部には演出装置１６０が配設されており、演出装置１６０の上部には音孔１４３が設けられている。
【００２５】
この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（演出画像表示装置）を備えており、右シャッタ１６３ａ、左シャッタ１６３ｂが液晶表示装置１５７の手前で水平方向外側に開くと液晶表示装置１５７の表示画面がスロットマシン１００正面（遊技者側）に出現する構造となっている。なお、液晶表示装置でなくとも、種々の演出画像や種々の遊技情報を表示可能な表示装置であればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２６】
図２は、前面扉１０２を開けた状態のスロットマシン１００を示す正面図である。本体１０１は、上面板２６１、左側の側面板２６０、右側の側面板２６０、下面板２６４および背面板２４２で囲われ、前面に開口する箱体である。本体１０１の内部には、背面板２４２の上部に設けた通風口２４９と重ならない位置に、内部に主制御基板を収納した主制御基板収納ケース２１０が配置され、この主制御基板収納ケース２１０の下方に、３つのリール１１０乃至１１２が配置されている。主制御基板収納ケース２１０及びリール１１０乃至１１２の側方、即ち向って左側の側面板２６０には、内部に副制御基板を収納した副制御基板収納ケース２２０が配設してある。また、向かって右側の側面板２６０には、主制御基板に接続されて、スロットマシン１００の情報を外部装置に出力する外部集中端子板２４８が取り付けられている。
【００２７】
そして、下面板２６４には、メダル払出装置１８０（バケットに溜まったメダルを払出す装置）が配設され、このメダル払出装置１８０の上方、即ちリール１１０乃至１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して後述する主制御部３００、副制御部４００、５００等の各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）を備えている。
【００２８】
メダル払出装置１８０の右側には、メダル補助収納庫２４０が配設してあり、この背後にはオーバーフロー端子が配設されている（図示省略）。電源装置２５２には、電源コード２６５を接続する電源コード接続部が設けられ、ここに接続された電源コード２６５が、本体１０１の背面板２４２に開設した電源コード用穴２６２を通して外部に延出している。
【００２９】
前面扉１０２は、本体１０１の左側の側面板２６０にヒンジ装置２７６を介して蝶着され、図柄表示窓１１３の上部には、演出装置１６０、および、この演出装置１６０を制御する演出制御基板（図示省略）、上部スピーカ２７２、を設けている。図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、音孔１５９に対応する位置には低音スピーカ２７７を設けている。
【００３０】
＜制御部＞
次に、図３を用いて、スロットマシン１００の制御部の制御部の回路構成について詳細に説明する。なお、同図は、制御部の回路ブロック図を示したものである。
【００３１】
スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて各種機器を制御する第２副制御部５００と、によって構成されている。
【００３２】
＜主制御部＞
まず、スロットマシン１００の主制御部３００について説明する。主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、ＷＤＴ（ウォッチドックタイマ）３１４を搭載している。
【００３３】
なお、ＲＯＭ３０６やＲＡＭ３０８については他の記憶装置を用いてもよく、この点は後述する第１副制御部４００や第２副制御部５００についても同様である。この基本回路３０２のＣＰＵ３０４は、水晶発振器３１５ｂが出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１５ｂが出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。
【００３４】
主制御部３００は、水晶発振器３１５ａと、０〜６５５３５の範囲で数値を変動させるハードウェア乱数カウンタとして使用している乱数値生成回路３１６と、電源が投入されると起動信号（リセット信号）を出力する起動信号出力回路３３８を備えており、ＣＰＵ３０４は、この起動信号出力回路３３８から起動信号が入力された場合に、遊技制御を開始する（後述する主制御部メイン処理を開始する）。
【００３５】
また、主制御部３００は、センサ回路３２０を備えており、ＣＰＵ３０４は、割り込み時間ごとに各種センサ３１８（ベットボタン１３０センサ、ベットボタン１３１センサ、ベットボタン１３２センサ、スタートレバー１３５センサ、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。
【００３６】
なお、センサ回路３２０がスタートレバー１３５センサのＨレベルを検出した場合には、この検出を示す信号を乱数値生成回路３１６に出力する。この信号を受信した乱数値生成回路３１６は、そのタイミングにおける値をラッチし、抽選に使用する乱数値を格納するレジスタに記憶する。
【００３７】
スタートレバー１３５センサは、スタートレバー１３５内部に２個設置されており、遊技者によるスタート操作を検出する。ストップボタン１３７センサ、ストップボタン１３８センサ、および、ストップボタン１３９センサは、各々のストップボタン１３７乃至１３９に設置されており、遊技者によるストップボタンの操作を検出する。
【００３８】
ベットボタン１３０センサ、ベットボタン１３１センサ、および、ベットボタン１３２センサは、メダル投入ボタン１３０乃至１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置１８０が払い出すメダルを検出するためのセンサである。なお、以上の各センサは、非接触式のセンサであっても接点式のセンサであってもよい。
【００３９】
リール１１０のインデックスセンサ、リール１１１のインデックスセンサ、および、リール１１２のインデックスセンサは、各リール１１０乃至１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【００４０】
主制御部３００は、リール装置１１０乃至１１２に設けたステッピングモータを駆動する駆動回路３２２、投入されたメダルを選別するメダルセレクタ６００に設けたソレノイドを駆動する駆動回路３２４、メダル払出装置１８０に設けたモータを駆動する駆動回路３２６、各種ランプ３３８（入賞ライン表示ランプ１２０、告知ランプ１２３、遊技メダル投入可能ランプ１２４、再遊技ランプ１２２、遊技メダル投入ランプ１２９、遊技開始ランプ１２１、貯留枚数表示器１２５、遊技情報表示器１２６、払出枚数表示器１２７）を駆動する駆動回路３２８を備えている。
【００４１】
また、基本回路３０２には、情報出力回路３３４（外部集中端子板２４８）を接続しており、主制御部３００は、この情報出力回路３３４を介して、外部のホールコンピュータ（図示省略）等が備える情報入力回路６５２にスロットマシン１００の遊技情報（例えば、遊技状態）を出力する。
【００４２】
また、主制御部３００は、電源管理部（図示しない）から主制御部３００に供給している電源の電圧値を監視する電圧監視回路３３０を備えており、電圧監視回路３３０は、電源の電圧値が所定の値（本実施例では９ｖ）未満である場合に電圧が低下したことを示す低電圧信号を基本回路３０２に出力する。
【００４３】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【００４４】
＜副制御部＞
次に、スロットマシン１００の第１副制御部４００について説明する。第１副制御部４００は、主制御部３００が送信した制御コマンドを入力インタフェースを介して受信し、この制御コマンドに基づいて第１副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２のＣＰＵ４０４は、水晶発振器４１４が出力する所定周期のクロック信号をシステムクロックとして入力して動作する。ＲＯＭ４０６は、第１副制御部４００の全体を制御するための制御プログラム及びデータ、バックライトの点灯パターンや各種表示器を制御するためのデータ等を記憶する。
【００４５】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００４６】
また、第１副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＳ−ＲＯＭから取得した音声データをアンプで増幅させてスピーカ２７２、２７７から出力する。
【００４７】
また、第１副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）が接続されている。また、ＣＰＵ４０４は、出力インタフェースを介して第２副制御部５００へ信号の送受信を行う。
【００４８】
第２副制御部５００は、演出画像表示装置１５７の表示制御および各種演出用駆動装置１６５の制御を含む演出装置１６０の各種制御を行う。なお、第２副制御部５００は、例えば、液晶表示装置１５７の表示の制御を行う制御部、各種演出用駆動装置１６５の制御を行う制御部（例えば、シャッタ１６３のモータ駆動を制御する制御部）とするなど、複数の制御部で構成するようにしてもよい。
【００４９】
＜主制御基板収納ケース＞
次に、図４乃至６を用いて、本実施形態の主制御基板収納ケース２１０について説明する。図４（ａ）は、主制御基板収納ケース２１０の正面図であり、同図（ｂ）は、主制御基板収納ケース２１０の背面図である。また、図５（ａ）は、主制御基板収納ケース２１０の外観斜視図であり、同図（ｂ）は、主制御基板収納ケース２１０の分解斜視図である。
【００５０】
これらの図に示されるように、主制御基板収納ケース２１０は、底面が略矩形の角皿状である基板収納体２１１および蓋体２１２を合体させることにより構成される箱状の部材である。この主制御基板収納ケース２１０の内部の空間には、主制御部３００を構成する主制御基板２１３が収納される。この主制御部２１３には、遊技制御を行うＣＰＵ３０４と共にＲＯＭ３０６やＲＡＭ３０８等の電子部品が実装されている。
【００５１】
基板収納体２１１の下側縁には門型のヒンジ部２１１ａが２箇所に設けられ、左右側縁の上部には矩形状の突起である係止凸部２１１ｂがそれぞれ設けられている。そして、蓋体２１２の下側縁にはヒンジ部２１１ａと係合するフック状のフック部２１２ａが２箇所に設けられ、左右側縁の上部には係止凸部２１１ｂと係止する開口を備える係止舌片２１２ｂがそれぞれ設けられている。
【００５２】
従って、主制御基板収納ケース２１０を組み立てる場合には、まず、蓋体２１２のフック部２１２ａを基板収納体２１１のヒンジ部２１１ａに係合させ、次に、ヒンジ部２１１ａを中心に蓋体２１２を揺動させて基板収納体２１１と蓋体２１２を組み合わせると共に、蓋体２１２の係止舌片２１２ｂを基板収納体２１１の係止凸部２１１ｂに係止させる。
【００５３】
主制御基板２１３は、ネジ２１３ａによって角部を基板収納体２１１に固定された状態で、主制御基板収納ケース２１０内部に収納される。なお、基板収納体２１１および蓋体２１２は、それぞれ透明または半透明の樹脂から構成されており、主制御基板収納ケース２１０内部に収納された主制御基板２１１を外部から視認することが可能となっている。
【００５４】
主制御基板収納ケース２１０の上部には、封止ピン２１４を挿入して基板収納体２１１と蓋体２１２を分離できないように封止（封印、かしめ）するための封止部７００が、４箇所に設けられている。この封止部７００は、基板収納体２１１に形成された基板側封止部７１０、および蓋体２１２に形成された蓋側封止部７２０から構成されている。
【００５５】
基板側封止部７１０および蓋側封止部７２０は、基板収納体２１１および蓋体２１２を合体させた場合に、基板側封止部７１０が蓋側封止部７２０内に収容され、封止ピン２１４が挿入される挿入孔がそれぞれ連通するように構成されている。そして、この連通した挿入孔に挿入された封止ピン２１４が、基板側封止部７１０および蓋側封止部７２０のそれぞれに取り外し不可能に係止するようになっている。すなわち、封止部７００は、挿入された封止ピン２１４によって基板側封止部７１０と蓋側封止部７２０が互いに分離不可能に結合されることで、主制御基板収納ケース２１０を封止するように構成されている。
【００５６】
なお、封止ピン２１４は、連結部材２１４ａによって２つが連結された状態となっている。また、封止部７００は、封止ピン２１４を蓋側封止部７２０のみに係止させることによって封止ピン２１４を仮止めできるように構成されている。
【００５７】
図６（ａ）は、図５（ｂ）におけるＡ部およびＢ部の拡大図であり、基板収納体２１１および蓋体２１２を合体させた状態を示している。また、図６（ｂ）は、一旦封止した主制御基板収納ケース２１０を開封した状態を示した斜視図である。
【００５８】
一旦封止した主制御基板収納ケース２１０を開封する場合には、図６（ａ）に示されるように、蓋側封止部７２０と蓋体２１２を接続する４つの接続部７２０ａを切断し、蓋側封止部７２０を蓋体２１２から切り離す。さらに、封止ピン２１４の連結部材２１４ａを切断する。これにより、基板収納体２１１と蓋体２１２の結合が解除され、図６（ｂ）に示されるように、主制御基板収納ケース２１０を開封することができる。
【００５９】
基板収納体２１１および蓋体２１２を分離した後は、図６（ｂ）に示されるように、蓋側封止部７２０が基板側封止部７１０と結合したまま基板収納体２１１に残ることととなり、主制御基板収納ケース２１０を開封した痕跡が残るようになっている。なお、本実施形態では、封止部７００を４箇所に設けているため、主制御基板収納ケース２１０の封止を４回行うことができるようになっている。
【００６０】
図４および５に戻って、主制御基板収納ケース２１０の上部中央は、封印シール２１５を貼付ける部分となっている。基板収納体２１１の上部中央には、正面側（蓋体２１２側）に向けて突出する矩形状の凸部２１１ｃが設けられており、基板収納体２１１と蓋体２１２を合体させた場合に、蓋体２１２の上部中央に設けられた凹部２１２ｃ内に収容されるようになっている。そして、封印シール２１５は、基板収納体２１１の凸部２１１ｃの表面とその下方の蓋体２１２の表面に跨って貼付けられる。従って、主制御基板収納ケース２１０を開封するには、封止部７００による封止の解除と共に、封印シール２１５を剥がす、または破断する必要があり、これによっても主制御基板収納ケース２１０を開封した痕跡が残るようになっている。すなわち、主制御基板収納ケース２１０は、封止部７００と共に封印シール２１５よっても封止されている。
【００６１】
＜封止部＞
本実施形態では、主制御基板収納ケース２１０において、封止部７００に本発明の第一の内壁部７３０および第二の内壁部７４０を設けることにより、複数の主制御基板収納ケース２１０から取り出した部材を組み合わせて新たな主制御基板収納ケース２１０を再生する不正行為を防止するようにしている。以下、図７乃至１０を用いて、封止部７００の構成について詳細に説明する。
【００６２】
図７（ａ）は、基板側封止部７１０を拡大して示した斜視図であり、正面側（蓋体２１２側）から見た場合を示している。同図に示されるように、基板側封止部７１０は、基板収納体２１１の外周に面した（外側周囲に面した）外壁部７１１と、外壁部７１１から蓋体２１２側に向けて突設された略矩形断面の筒状の係止部７１２と、から構成されている。
【００６３】
外壁部７１１は、基板収納体２１１と蓋体２１２を合体させた場合に、主制御基板収納ケース２１０の背面側から蓋側封止部７２０および封止ピン２１４を遮蔽するように、背面外側に面する壁状に形成されている。また、係止部７１２は、基板収納体２１１と蓋体２１２を合体させた場合に、蓋側封止部７２０の下部内に挿入されるように形成されており、封止ピン２１４が係止する部分となっている。従って、係止部７１２の上部には、封止ピン２１４の先端部が挿入される挿入孔７１３が設けられている。なお、係止部７１２の周囲には、蓋体２１２を適宜に位置決めするためのガイド枠７１４が形成されている。
【００６４】
図７（ｂ）は、封止ピン２１４の外観斜視図である。同図に示されるように、封止ピン２１４は、略円柱状の基部２１４ｂと、基部２１４ｂから突設された略棒状の挿入部２１４ｃと、挿入部２１４の先端部に設けられた舌片状の基板側係止片２１４ｄと、挿入部２１４ｃの基端部近傍に設けられた舌片状の蓋側係止片２１４ｅと、から構成されている。また、封止ピン２１４は、連結部材２１４ａによって連結されることにより、二つで一組となっている。
【００６５】
図８（ａ）および（ｂ）は、蓋側封止部７２０を拡大して示した斜視図であり、背面側（基板収納体２１１側）から見た場合を示している。これらの図に示されるように、蓋側封止部７２０は、基板収納体２１１側が開口した略直方体の箱状に形成されている。
【００６６】
蓋側封止部７２０は、正面側部分は、蓋体２１２の外周に面した（外側周囲に面した）外壁部７２１となっている。外壁部７２１は、基板収納体２１１と蓋体２１２を合体させた場合に、主制御基板収納ケース２１０の正面側から基板側封止部７１０および封止ピン２１４を遮蔽するように、正面外側に面する壁状に形成されている。
【００６７】
蓋側封止部７２０の上部には、封止ピン２１４が挿入される上部挿入孔７２２が設けられており、この上部挿入孔７２２の周囲には、封止ピン２１４の基部２１４ｂを囲む防護枠７２２ａが形成されている。また、蓋側封止部７２０の内部には、蓋側封止部７２０の内部を上下に２分割する仕切壁７２３が設けられており、この仕切壁７２３には、上部挿入孔７２２と連通する下部挿入孔７２４が形成されている。
【００６８】
蓋側封止部７２０の内部は、この仕切壁７２３によって上下に２分割されており、下側部分は基板側封止部７１０の係止部７１２が挿入される挿入部７２５となっている。従って、上部挿入孔７２２および下部挿入孔７２４は、基板収納体２１１と蓋体２１２を合体させた場合に、基板収納体２１１の挿入孔７１３と連通するようになっている。
【００６９】
蓋側封止部７２０の上側部分は、背面側に略矩形状の板部材７２６が溶着等によって固定されることで、閉塞されるようになっている。また、挿入部７２５の内部には、挿入された封止ピン２１４の先端を受ける受け部７２７が設けられており、この受け部７２７は、挿入部７２５内に基板側封止部７１０の係止部７１２が挿入された場合に、筒状の係止部７１２内に嵌り込むように形成されている。また、受け部７２４の先端には、遮蔽板７２８が設けられている。
【００７０】
本実施形態では、遮蔽板７２８によって、本発明の内壁部、具体的には挿入された封止ピン２１４の先端部を遮蔽する第一の内壁部７３０を構成している。また、蓋側封止部７２０の上側部分を塞ぐ板部材７２６によって、本発明の内壁部であり、挿入された封止ピン２１４の基端部を遮蔽する第二の内壁部７４０を構成している。
【００７１】
図９（ａ）は、主制御基板収納ケース２１０の一部を示した平面図であり、同図（ｂ）は、同図（ａ）のＣ−Ｃ線断面を拡大して示した断面図である。なお、これらの図では、図の左側の封止部７００が封止状態であり、図の右側の封止部７００が封止ピン２１４を仮止めした仮止め状態となっている。
【００７２】
同図（ｂ）に示されるように、封止状態においては、封止ピン２１４の挿入部２１４ｃが、蓋側封止部７２０の上部挿入孔７２２および下部挿入孔７２４、ならびに基板側封止部７１０の挿入孔７１３を通して挿入され、先端部が基板側封止部７１０の係止部７１２内において蓋側封止部７２０の受け部７２７に略当接した状態となっている。
【００７３】
そして、封止ピン２１４は、基板側係止片２１４ｄが基板側封止部７１０の係止部７１２の上部に係止し、蓋側係止片２１４ｅが蓋側封止部７２０の上部に係止した状態となっている。これにより、基板側封止部７１０および蓋側封止部７２０は分離不可能に結合され、主制御基板収納ケース２１０が封止される。なお、本実施形態では、防護枠７２２ａによって封止ピン２１４の基部２１４ｂを囲むと共に、受け部７２７によって基板側係止片２１４ｅの変形を制限することにより、封止状態の封止ピン２１４を取り外そうとする行為が困難となるようにしている。
【００７４】
封止ピン２１４を仮止めした状態においては、挿入部２１４ｃが蓋側封止部７２０の上部挿入孔７２２のみに挿入された状態となっている。これにより、基板側係止片２１４ｄが蓋側封止部７２０の上部に係止した状態となるため、封止ピン２１４の紛失を防止することができる。
【００７５】
図１０（ａ）は、主制御基板収納ケース２１０の正面図であり、同図（ｂ）は、同図（ａ）のＤ−Ｄ線断面図であり、同図（ｃ）は、同図（ａ）のＥ−Ｅ線断面図である。なお、同図（ｂ）は仮止め状態を示しており、同図（ｃ）は封止状態を示している。
【００７６】
上述のように、本実施形態では、封止部７００において、蓋体２１２の一部である第一の内壁部７３０および第二の内壁部７４０を設けている。この第一の内壁部７３０および第二の内壁部７４０は、同図（ｂ）および（ｃ）に示されるように、基板収納体２１１と蓋体２１２を合体させた場合に、基板収納体２１１の一部である基板側封止部７１０の外壁部７１１と、挿入された封止ピン２１４の挿入部２１４ｃの間の空隙に配置されるようになっている。
【００７７】
具体的には、第一の内壁部７３０は、封止状態において、基板側封止部７１０の外壁部７１１と封止ピン２１４の先端部の基板側係止片２１４ｄとの間の空隙に配置され、基板側係止片２１４ｄを遮蔽するようになっている（同図（ｃ）参照）。また、第二の内壁部７４０は、封止状態においては、基板側封止部７１０の外壁部７１１と封止ピン２１４の基端側の蓋側係止片２１４ｅとの間の空隙に配置されて蓋側係止片２１４ｅを遮蔽し（同図（ｃ）参照）、仮止め状態においては、基板側封止部７１０の外壁部７１１と封止ピン２１４の先端部の基板側係止片２１４ｄとの間の空隙に配置されて基板側係止片２１４ｄを遮蔽するようになっている（同図（ｂ）参照）。
【００７８】
すなわち、本実施形態では、封止状態においては、基板側係止部７１０の係止部７１２に係止している基板側係止片２１４ｄは、第一の内壁部７３０および基板側封止部７１０の外壁部７１１によって二重に遮蔽され、蓋側封止部７２０に係止している蓋側係止片２１４ｅは、第二の内壁部７４０および基板側封止部７１０の外壁部７１１によって二重に遮蔽されるようになっている。また、仮止め状態においては、蓋側封止部７２０に係止している基板側係止部２１４ｄは、第二の内壁部７４０および基板側封止部７１０の外壁部７１１によって二重に遮蔽されるようになっている。
【００７９】
本実施形態では、このように、封止部７００のいずれかの部分に係止している封止ピン２１４の基板側係止片２１４ｄおよび蓋側係止片２１４ｅを、基板側封止部７１０の外壁部７１１および第一の内壁部７３０または第二の内壁部７４０によって二重に遮蔽するようにしている。このようにすることで、封止ピン２１４にアクセスして取り外そうとする行為が困難となるため、主制御基板収納ケース２１０の封止状態を不正に解除しようとする不正行為を効果的に防止することができる。
【００８０】
また、本実施形態の構成では、封止ピン２１４を基板収納体２１１の一部である外壁部７１１と、蓋体２１２の一部である第一の内壁部７３０または第二の内壁部７４０とによって二重に遮蔽しているため、基板収納体２１１または蓋体２１２のいずれか一方のみを破壊して封止状態を解除したり、封止ピン２１４を取り外したりする行為を困難にすることができる。従って、本実施形態によれば、複数の主制御基板収納ケース２１０を部分的に破壊して取り出した基板収納体２１１、蓋体２１２および封止ピン２１４等の部材を組み合わせて、新たな主制御基板収納ケース２１０を再生する不正行為（いわゆるニコイチ不正）を防止することが可能となっている。
【００８１】
なお、本実施形態では、基板側封止部７１０および蓋側封止部７２０を、基板収納体２１１および蓋体２１２と同様に透明または半透明の素材から構成すると共に、第一の内壁部７３０および第二の内壁部７４０について、少なくとも基板側封止部７１０の外壁部７１１に対向する対向面を着色するまたは有色の素材から構成するようにしている。従って、本実施形態では、第一の内壁部７３０および第二の内壁部７４０の状態を、透明または半透明の基板側封止部７１０の外壁７１１を通して外部から容易に視認できるようになっている。
【００８２】
＜第２の実施形態＞
次に、本発明の第２の実施形態について説明する。本実施形態に係るスロットマシンは、上記第１の実施形態に係るスロットマシン１００において封止部７００の構成を一部変更したものであり、他の構造については同一である。このため、同一部分については図中において同じ符号を付すと共にその説明は省略し、以下、図１１乃至１４を用いて、封止部７００についてのみ説明する。
【００８３】
＜封止部＞
図１１（ａ）および（ｂ）は、本実施形態の基板側封止部７１０を拡大して示した斜視図であり、正面側（蓋体２１２側）から見た場合を示している。これらの図に示されるように、本実施形態の基板側封止部７１０は、係止部７１２の正面側の先端に略矩形状の板部材７１５が溶着等によって固定され、係止部７１２内部が閉塞されるようになっている。そして、本実施形態では、この係止部７１２の内部を塞ぐ板部材７１５および係止部７１２の周壁７１２ａによって、挿入された封止ピン２１４の先端部を遮蔽する本発明の第一の内壁部７３０を構成している。
【００８４】
図１２（ａ）および（ｂ）は、本実施形態の蓋側封止部７２０を拡大して示した斜視図であり、背面側（基板収納体２１１側）から見た場合を示している。本実施形態の蓋側封止部７２０は、基板側封止部７１０において係止部７１２の先端を塞いだことにより、受け部７２７および遮蔽板７２８を省略した構成となっている。
【００８５】
図１３（ａ）は、主制御基板収納ケース２１０の一部を示した平面図であり、同図（ｂ）は、同図（ａ）のＦ−Ｆ線断面を拡大して示した断面図である。なお、これらの図では、図の左側の封止部７００が封止状態であり、図の右側の封止部７００が仮止め状態となっている。
【００８６】
同図（ｂ）に示されるように、封止状態においては、封止ピン２１４の挿入部２１４ｃが、蓋側封止部７２０の上部挿入孔７２２および下部挿入孔７２４、ならびに基板側封止部７１０の挿入孔７１３を通して挿入され、先端部が基板側封止部７１０の係止部７１２内に収容された状態となっている。
【００８７】
封止状態において、封止ピン２１４は、基板側係止片２１４ｄが基板側封止部７１０の係止部７１２の上部に係止し、蓋側係止片２１４ｅが蓋側封止部７２０の上部に係止した状態となっており、これにより、主制御基板収納ケース２１０が封止されるようになっている。また、仮止め状態においては、封止ピン２１４の挿入部２１４ｃが蓋側封止部７２０の上部挿入孔７２２のみに挿入された状態となっており、基板側係止片２１４ｄが蓋側封止部７２０の上部に係止した状態となっている。
【００８８】
図１４（ａ）は、主制御基板収納ケース２１０の正面図であり、同図（ｂ）は、同図（ａ）のＧ−Ｇ線断面図である。なお、同図（ｂ）は封止状態を示している。本実施形態では、同図（ｂ）に示されるように、第一の内壁部７３０は、基板収納体２１１と蓋体２１２を合体させた場合に、蓋側封止部７２０の外壁部７２１と、挿入された封止ピン２１４の挿入部２１４ｃの間の空隙に配置されるようになっている。
【００８９】
従って、本実施形態では、封止状態において基板側係止部７１０の係止部７１２に係止している基板側係止片２１４ｄは、第一の内壁部７３０および蓋側封止部７２０の外壁部７２１によって二重に遮蔽されるようになっている。さらに、本実施形態では、係止部７１２の周壁部７１２ａによっても第一の内壁部７３０を構成しているため、封止状態において基板側係止片２１４ｄは、上下左右からも第一の内壁部７３０によって囲まれた状態となっている。すなわち、本実施形態の第一の内壁部７３０は、封止ピン２１４の基板側係止片２１４ｄを囲む形状となっている。
【００９０】
このようにすることで、封止ピン２１４にアクセスして取り外そうとする行為がより困難となるため、主制御基板収納ケース２１０の封止状態を不正に解除しようとする不正行為を効果的に防止することができる。また、基板収納体２１１または蓋体２１２のいずれか一方のみを破壊して封止状態を解除したり、封止ピン２１４を取り外したりする行為がより困難となるため、いわゆるニコイチ不正を防止することができる。
【００９１】
特に、本実施形態では、封止ピン２１４を取り外そうとして挿入部２１４ｃを切断した場合に、基板側係止片２１４ｄを含む先端部を第一の内壁部７３０と外壁部７１１に囲まれた空間内に残すことができるため、基板収納体２１１または蓋体２１２のいずれか一方のみを破壊して封止ピン２１４を取り外そうとする行為を非常に困難にすることができる。
【００９２】
なお、本実施形態（および第１の実施形態）では、封止ピン２１４の挿入部２１４ｃを切断した場合、蓋側係止片２１４ｅを含む部分が、板部材７２６と、蓋側封止部７２０の周壁部７２０ａの上側部分と、仕切壁７２３と、外壁部７２１とによって囲まれた空間内に残されることとなる。すなわち、本実施形態（および第１の実施形態）では、第二の内壁部７４０は、板部材７２６と、蓋側封止部７２０の周壁部７２０ａの上側部分と、仕切壁７２３から構成され、封止状態において封止ピン２１４の蓋側係止片２１４ｅを囲む形状となっているとみなすことができる。
【００９３】
さらに、本実施形態では、基板収納体２１１の一部である第一の内壁部７３０を、蓋体２１２の一部である蓋側封止部７２０の外壁部７２１と封止ピン２１４の挿入部２１４ｃ（基板側係止片２１４ｄ）の間の空隙に配置し、蓋体２１２の一部である第二の内壁部７４０を、基板収納体２１１の一部である基板側封止部７１０の外壁部７１１と封止ピン２１４の挿入部２１４ｃ（蓋側係止片２１４ｅ）の間の空隙に配置しているため、基板収納体２１１または蓋体２１２のいずれか一方のみを破壊して封止状態を解除したり、封止ピン２１４を取り外したりする行為が非常に困難となっている。
【００９４】
なお、本実施形態では、第１の実施形態と同様に、基板側封止部７１０および蓋側封止部７２０を透明または半透明の素材から構成すると共に、第一の内壁部７３０について少なくとも蓋側封止部７２０の外壁部７２１に対向する対向面を着色するまたは有色の素材から構成するようにし、第二の内壁部７４０について少なくとも基板側封止部７１０の外壁部７２１に対向する対向面を着色するまたは有色の素材から構成するようにしている。従って、本実施形態では、第一の内壁部７３０の状態を透明または半透明の蓋側封止部７２０の外壁７２１を通して容易に視認すると共に、第二の内壁部７４０の状態を、透明または半透明の基板側封止部７１０の外壁７１１を通して外部から容易に視認できるようになっている。
【００９５】
＜第３の実施形態＞
次に、本発明の第３の実施形態について説明する。本実施形態に係るスロットマシンは、上記第１の実施形態に係るスロットマシン１００において主制御基板収納ケースの構成を変更したものであり、他の構造については同一である。このため、同一部分については図中において同じ符号を付すと共にその説明は省略し、以下、図１５および１６を用いて、主制御基板収納ケースおよび封止部についてのみ説明する。
【００９６】
＜主制御基板収納ケースおよび封止部＞
図１５（ａ）は、本実施形態の主制御基板収納ケース８００の外観斜視図であり、同図（ｂ）は、主制御基板収納ケース８００の分解斜視図である。これらの図に示されるように、主制御基板収納ケース８００は、底面が略矩形の角皿状である基板収納体８０１および蓋体８０２を合体させることにより構成される箱状の部材であり、この主制御基板収納ケース８００の内部の空間には、主制御部３００を構成する主制御基板２１３が収納される。
【００９７】
本実施形態では、基板収納体８０１および蓋体８０２は、それぞれの側壁部８０１ａおよび８０２ａを重ねて合体されるように構成されている。具体的には、基板収納体８０１および蓋体８０２は、基板収納体８０１の側壁部８０１ａの外側に蓋体８０２の側壁部８０２ａを重ねた状態で合体することで、主制御基板収納ケース８００を構成する。なお、基板収納体８０１の側壁部８０１ａには４箇所に係合凸部８０１ｂが設けられ、蓋体８０２の側壁部８０２ａには、この係合凸部８０１ｂと係合する係合孔８０２ｂが設けられている。
【００９８】
また、本実施形態の主制御基板収納ケース８００は、封止ピン８１０を挿入して基板収納体８０１と蓋体８０２を分離できないように封止するための封止部８２０を、側部の１箇所に備えている。
【００９９】
封止ピン８１０は、蓋体８０２に固定される固定部８１１と、封止部８２０に挿入される挿入部８１２と、固定部８１１と挿入部８１２を連結する連結部８１３と、から構成されている。固定部８１１は、矩形状の部材であり、蓋体８０２の正面部８０２ｃに設けられた係止孔８０２ｄ内に挿入されて係止する係止部８１１ａを備えている。また、挿入部８１２は、先端部に係止片８１２ａを備えている。
【０１００】
封止部８２０は、基板収納体８０１の側壁部８０１ａと略一体的に設けられた基板側封止部８２１、および蓋体８０２の側壁部８０２ａの近傍に設けられた蓋側封止部８２２から構成されている。基板側封止部８２１は、基板収納体８０１の側壁部８０１ａを一部とする略矩形断面の筒状に形成されており、略コの字状断面の周壁部８２１ａを有している。また、基板側封止部８２１の側壁部８０１ａと共通する部分には、封止ピン８１０の挿入部８１２を挿入する挿入孔８２１ｂが設けられている。
【０１０１】
蓋側封止部８２２は、略直方体の箱状に形成されており、基板収納体８０１と蓋体８０２を合体させた場合に、基板側封止部８２１の内部に挿入されるようになっている。従って、蓋側封止部８２２は、蓋体８０２の側壁部８０２ａのやや内側に設けられている。また、蓋側封止部８２２の周壁部８２２ａには、基板収納体８０１と蓋体８０２を合体させた場合に基板側封止部８２１の挿入孔８２１ａと連通する挿入孔８２２ｂが設けられている。なお、蓋体８０２の側壁部８０２ａには、封止ピン８１０の挿入部８１２の挿入を可能にするために、蓋側封止部８２２の挿入孔８２２ｂが形成された面に対向する部分に切欠部８０２ｅが設けられている。
【０１０２】
図１６（ａ）は、図１５（ａ）のＨ−Ｈ線断面図であり、図１６（ｂ）は、図１５（ａ）のＩ−Ｉ線断面図である。なお、図１６（ａ）および（ｂ）は、封止状態を示している。これらの図に示されるように、封止状態においては、封止ピン８１０の挿入部８１２が基板側封止部８２１の挿入孔８２１ｂおよび蓋側封止部８２２の挿入孔８２２ｂを通して挿入され、係止片８１２ａが蓋側封止部８２２に係止した状態となっている。これにより、本実施形態では、封止ピン８１０の挿入部８１２が、基板収納体８０１および蓋体８０２が互いに分離する方向へ移動するのを制限することで、主制御基板収納ケース８００が封止されるようになっている。
【０１０３】
そして、本実施形態では、基板収納体８０１の側壁部８０１ａ、および基板側封止部８２１の周壁部８２１ａによって、本発明の内壁部８３０を構成している。また、蓋側封止部８２２の周壁部８２２ａによって、本発明の第三の内壁部８４０を構成している。すなわち、本実施形態では、蓋体８０２の一部である側壁部８０２ａと封止ピン８１０の挿入部８１２（係止片８１２ａ）の間の空隙に、基板収納体８０１の一部である内壁部８３０を二重に配置すると共に、この内壁部８３０と封止ピン８１０の挿入部（係止片８１２ａ）の間の空隙に、さらに蓋体８０２の一部である第三の内壁部８４０を配置している。
【０１０４】
このようにすることで、封止ピン８１０の挿入部８１２にアクセスして取り外そうとする行為をより困難にすることができる。また、基板収納体８０１または蓋体８０２のいずれか一方のみを破壊して封止状態を解除したり、封止ピン８１０の挿入部８１２を取り外したりする行為をより困難にすることができる。これにより、いわゆるニコイチ不正を防止することができる。
【０１０５】
＜第４の実施形態＞
次に、本発明の第４の実施形態について説明する。本実施形態に係るスロットマシンは、上記第１の実施形態に係るスロットマシン１００において封止部の構成を変更したものであり、他の構造については同一である。このため、同一部分については図中において同じ符号を付すと共にその説明は省略し、以下、図１７および１８を用いて、封止部についてのみ説明する。
【０１０６】
＜封止部＞
図１７（ａ）および（ｂ）は、本実施形態の主制御基板収納ケース２１０の一部を示した斜視図である。これらの図に示されるように、本実施形態の封止部９００は、ワンウェイネジ９０１によって基板収納体２１１と蓋体２１２を分離できないように封止（封印、かしめ）するように構成されており、主制御基板収納ケース２１０の側部において４箇所に設けられている。
【０１０７】
封止部９００は、基板収納体２１１の側部から突出して形成された略円筒状の基板側封止部９１０と、同様に蓋体２１２の側部から突出して形成された略円筒状の蓋側封止部９２０と、から構成されている。この基板側封止部９１０および蓋側封止部９２０は、互いに対向する位置にそれぞれ設けられている。
【０１０８】
基板側封止部９１０は、中心部にワンウェイネジ９０１のネジ部９０１ａと螺合する螺合孔９１１が設けられている。また、基板側封止部９１０の蓋側封止部９２０と対向する面には、螺合孔９１１の周囲において円環状の溝部９１２が形成されている。蓋側封止部９２０は、中心部にワンウェイネジ９０１のネジ部９０１ａが挿入される挿入孔９２１が形成されている。また、蓋側封止部９２０の基板側封止部９１０と対向する面には、略円筒状の突出部９２２が設けられている。
【０１０９】
蓋側封止部９２０の挿入孔９２１は、基板収納体２１１と蓋体２１２を合体させた場合に、基板側封止部９１０の螺合孔９１１と連通するようになっている。また、蓋側封止部９２０の突出部９２２は、基板収納体２１１と蓋体２１２を合体させた場合に、基板側封止部９１０の溝部９１２内に嵌り込むようになっている。
【０１１０】
なお、基板側封止部９１０は、接続部９１３を介して基板収納体２１１に接続されると共に、接続部９１３を介して基板側封止部９１０同士が互いに接続されている。同様に、蓋側封止部９２０は、接続部９２３を介して蓋体２１２に接続されている。従って、本実施形態では、この接続部９１３、９２３を切断して基板側封止部９１０および蓋側封止部９２０を切り離すことによって封止状態を解除するようになっている。
【０１１１】
図１８（ａ）および（ｂ）は、封止部９００の断面を示した断面図である。なお、同図（ａ）は、封止前の状態を示しており、同図（ｂ）は、封止状態を示している。同図（ｂ）に示されるように、封止状態では、ワンウェイネジ９０１のネジ部９０１ａが蓋側封止部９２０の挿入孔９２１通して挿入され、蓋側封止部９２０の挿入孔９２１の一部および基板側封止部９２０の螺合孔９２１と螺合した状態となっており、これにより本実施形態では、主制御基板収納ケース２１０が封止されるようになっている。また、封止状態では、ワンウェイネジ９０１の頭部９０１ｂは蓋側封止部９２０の周壁部９２０ａによって囲まれており、容易にアクセスできないようになっている。
【０１１２】
上述のように、封止状態では、蓋側封止部９２０の突出部９２２が基板側封止部９１０の溝部９１２内に収容された状態となっている。そして、基板側封止部９１０の溝部９１２の外側の部分は、基板収納体２１１の外側周囲に面すると共に突出部９２２を外側から囲む外壁部９１４を構成している。従って、本実施形態では、蓋側封止部９２０の突出部９２２によって、本発明の内壁部９３０を構成し、基板側封止部９１０の溝部９１２の内側の部分によって、本発明の第三の内壁部９４０を構成している。
【０１１３】
すなわち、本実施形態では、基板収納体２１１の一部である基板側封止部９１０の外壁部９１４と、ワンウェイネジ９０１のネジ部９０１ａの間の空隙に、蓋体２１２の一部である内壁部９３０を配置すると共に、この内壁部９３０とワンウェイネジ９０１のネジ部９０１ａの間の空隙に、さらに基板収納体２１１の一部である第三の内壁部９４０を配置している。
【０１１４】
このようにすることで、ワンウェイネジ９０１にアクセスして取り外そうとする行為をより困難にすることができる。また、基板収納体２１１または蓋体２１２のいずれか一方のみを破壊して封止状態を解除したり、ワンウェイネジ９０１を取り外したりする行為をより困難にすることができる。これにより、いわゆるニコイチ不正を防止することができる。
【０１１５】
以上説明したように、上記各実施形態に係るスロットマシンは、遊技制御を行う遊技制御用ＣＰＵ（上記各実施形態では、主制御部３００のＣＰＵ３０４）を備える制御回路基板（上記各実施形態では、主制御基板２１３）と、制御回路基板２１３を収納し、制御回路基板２１３を封止するためのケースであって、第一のケース体（上記各実施形態では、基板収納体２１１、８０１）と第二のケース体（上記各実施形態では、蓋体２１２、８０２）を合体させた箱状の基板収納ケース（上記各実施形態では、主制御基板収納ケース２１０、８００）と、を備えた遊技台であって、第一のケース体２１１、８０１は、自身の外周に面した第一の外壁部（第１、２の実施形態では外壁部７１１、第３の実施形態では側壁部８０１ａ、第４の実施形態では外壁部９１４）を有し、第二のケース体２１２、８０２は、自身の外周に面した第二の外壁部（第１、２の実施形態では外壁部７２１、第３の実施形態では側壁部８０２ａ、第４の実施形態では周壁部９２０ａ）を有し、第一の外壁部７１１、８０１ａ、９１４と第二の外壁部７２１、８０２ａ、９２０ａから囲まれる空間内に設けられて封止の状態を保持すると共に、第一の外壁部７１１、８０１ａ、９１４または第二の外壁部７２１、８０２ａ、９２０ａのいずれか一方を少なくとも破壊しない限り封止の状態の解除が不可とされた封止保持部（第１、２の実施形態では封止ピン２１４の基板側係止片２１４ｄおよび蓋側係止片２１４ｅ、第３の実施形態では封止ピン８１０の係止片８１２ａ、第４の実施形態ではワンウェイネジ９０１）を備え、基板収納ケース２１０、８００は、第一の外壁部７１１、８０１ａ、９１４と封止保持部２１４ｄ、２１４ｅ、８１２ａ、９０１の間の空隙に、第二のケース体２１２、８０２の一部である内壁部（第１の実施形態では第一の内壁部７３０および第二の内壁部７４０、第２の実施形態では第二の内壁部７４０、第３の実施形態では第三の内壁部８４０、第４の実施形態では内壁部９３０）が配置されている、または第二の外壁部７２１、８０２ａ、９２０ａと封止保持部２１４ｄ、２１４ｅ、８１２ａ、９０１の間の空隙に第一のケース体２１２、８０２の一部である内壁部（第２の実施形態では第一の内壁部７３０、第３の実施形態では内壁部８３０、第４の実施形態では第三の内壁部９４０）が配置されている。
【０１１６】
このような構成とすることで、複数の基板収納ケース２１０、８００から取り出した部材を組み合わせて新たな基板収納ケース２１０、８００を再生する不正行為（いわゆるニコイチ不正）を効果的に防止することができる。すなわち、第一のケース体２１１、８０１と第二のケース体２１２、８０２の両方を破壊しない限り封止保持部２１４ｄ、２１４ｅ、８１２ａ、９０１に到達できないため、基板収納ケース２１０、８００のニコイチ不正を防止することができる。なお、蓋体２１２、８０２を第一のケース体とし、基板収納体２１１、８０１を第二のケース体としてもよいことは言うまでもない。
【０１１７】
また、第２の実施形態に係るスロットマシンでは、第一のケース体２１１と第二のケース体２１２の各々には、封止状態において連通する連通孔（基板側封止部７１０の挿入孔７１３、ならびに蓋側封止部７２０の上部挿入孔７２２および下部挿入孔７２４）が形成され、連通孔７１３、７２２、７２４に挿入される挿入部材（封止ピン２１４）を備え、封止保持部２１４ｄ、２１４ｅは、挿入部材２１４の一部に形成されると共に、連通孔７１３、７２２、７２４に挿入された挿入部材２１４の非挿入方向への移動を規制する規制部（封止ピン２１４の基板側係止片２１４ｄおよび蓋側係止片２１４ｅ）を含み、内壁部（第一の内壁部７３０）は、規制部２１４ｄが封止の状態を保持する位置で、規制部２１４ｄの周囲を囲む形状とされている。
【０１１８】
このようにすることで、挿入部材２１４の取外しをより困難にすることができる。また、挿入部材２１４の規制部２１４ｄ以外を破壊（切断）された場合に、規制部２１４ｄを内壁部７３０に囲まれた空間または内壁部７３０と外壁部７１１に囲まれた空間の内部に、規制部２１４ｄを残すことが可能となるため、ニコイチ不正の防止を強化することができる。
【０１１９】
また、第１、２の実施形態に係るスロットマシンでは、規制部２１４ｄ、２１４ｅは、挿入部材２１４の先端付近に形成された第一の規制部（基板側係止片２１４ｄ）と、先端付近から離れた第二の規制部（蓋側係止片２１４ｅ）と、を含み、内壁部（第一の内壁部７３０および第二の内壁部７４０）は、第一の外壁部７１１または第二の外壁部７２１（第１の実施形態では第一の外壁部７１１、第２の実施形態では第二の外壁部７２１）と第一の規制部２１４ｄの間の空隙に配置された第一の内壁部７３０と、第一の外壁部７１１と第二の規制部２１４ｅの間の空隙に配置された第二の内壁部７４０と、を含んでいる。
【０１２０】
このようにすることで、第一のケース体２１１または第二のケース体２１２のいずれか一方のみを破壊して封止を解除または規制部２１４ｄ、２１４ｅを取り外そうとする行為をより困難にすることが可能となり、ニコイチ不正の防止をより強化することができる。
【０１２１】
また、第２の実施形態に係るスロットマシンでは、第一の内壁部７３０は、第一の規制部（基板側係止片２１４ｄ）が封止の状態を保持する位置で、第一の規制部２１４ｄの周囲を囲む形状とされ、第二の内壁部７４０は、第二の規制部（蓋側係止片２１４ｅ）が封止の状態を保持する位置で、第二の規制部２１４ｅの周囲を囲む形状とされている。
【０１２２】
このようにすることで、第一の規制部２１４ｄおよび第二の規制部２１４ｅの取外しをより困難にすることができる。また、第一の規制部２１４ｄと第二の規制部２１４ｅとの間が破壊（切断）された場合に、第一の規制部２１４ｄを内壁部７３０に囲まれた空間または内壁部７３０と外壁部７１１に囲まれた空間の内部に残し、第二の規制部２１４ｅを内壁部７４０に囲まれた空間または内壁部７４０と外壁部７２１に囲まれた空間の内部に残すことが可能となるため、ニコイチ不正の防止をより強化することができる。
【０１２３】
また、第一の外壁部７１１、８０１ａ、９１４および第二の外壁部７２１、８０２ａ、９２０ａは、透明又は半透明の素材から形成され、内壁部７３０、７４０、８３０、８４０、９３０、９４０は、第一の外壁部７１１、８０１ａ、９１４または第二の外壁部７２１、８０２ａ、９２０ａに対向する対向面が有色の素材から形成されるようにしてもよい。このようにすることで、内壁部７３０、７４０、８３０、８４０、９３０、９４０の破損状況が視認しやすくなるため、不正行為の発見を容易にすることができる。
【０１２４】
また、第３、４の実施形態に係るスロットマシンでは、内壁部８３０、８４０、９３０、９４０は、内壁部８３０、９３０と封止保持部８１２ａ、９０１の間の空隙に配置される第三の内壁部８４０、９４０を含んでいる。このようにすることで、第一のケース体２１１、８０１または第二のケース体２１２、８０２のいずれか一方のみを破壊して封止を解除または封止保持部８１２ａ、９０１を取り外そうとする行為をより困難にすることが可能となり、ニコイチ不正の防止をより強化することができる。
【０１２５】
なお、本発明に係る遊技台は、上記した実施形態に限定されるものではなく、本発明の要旨を逸脱しない範囲内において種々変更を加え得ることは勿論である。例えば、上記各実施形態では、主制御基板収納ケース２１０、８００に本発明を適用した例を示したが、本発明はこれに限定されるものではなく、例えば副制御基板収納ケース２２０等、その他の制御基板を収納するケースに本発明を適用するようにしてもよい。また、封止保持部または規制部は、上記各実施形態において示した構造に限定されるものではなく、係止、結合または締結可能なその他の既知の構造を採用することができる。
【０１２６】
また、上記各実施形態では、メダル（コイン）を遊技媒体としたスロットマシンの例を示したが、本発明はこれに限定されるものではなく、例えば、遊技球（例えば、パチンコ玉）を遊技媒体としたスロットマシンやパチンコ機などにも、本発明は適用可能である。
【０１２７】
具体的には、本発明に係る遊技台は、「所定の遊技領域に遊技球を発射する発射装置と、発射装置から発射された遊技球を入球可能に構成された入賞口と、入賞口に入球した遊技球を検知する検知手段と、検知手段が遊技球を検知した場合に遊技球（賞球）を払出す払出手段と、所定の図柄(識別情報)を変動表示する可変表示装置を備え、入賞口に遊技球が入って入賞することを契機として、可変表示装置が図柄を変動させた後に停止表示させて、遊技状態の推移を告知するようなパチンコ機」にも好適である。
【０１２８】
さらに、本発明をアレンジボール遊技機、じゃん球遊技機、スマートボール、およびカジノマシン等に適用しても、同様の効果を得ることができる。
【０１２９】
また、本発明の実施形態に記載された作用および効果は、本発明から生じる最も好適な作用および効果を列挙したに過ぎず、本発明による作用および効果は、本発明の実施形態に記載されたものに限定されるものではない。
【産業上の利用可能性】
【０１３０】
本発明の遊技台は、回胴遊技機（スロットマシン）や弾球遊技機（パチンコ等）に代表される遊技台の分野で特に利用することができる。
【符号の説明】
【０１３１】
１００  スロットマシン
２１０、８００  主制御基板収納ケース
２１３  主制御基板
２１１、８０１  基板収納体
２１２、８０２  蓋体
２１４  第１、２の実施形態の封止ピン
２１４ｄ  第１、２の実施形態の封止ピンの基板側係止片
２１４ｅ  第１、２の実施形態の封止ピン蓋側係止片
３００  主制御部
３０４  主制御部のＣＰＵ
７１１  第１、２の実施形態の基板側封止部の外壁部
７１３  第１、２の実施形態の基板側封止部の挿入孔
７２１  第１、２の実施形態の蓋側封止部の外壁部
７２２  第１、２の実施形態の蓋側封止部の上部挿入孔
７２４  第１、２の実施形態の蓋側封止部の下部挿入孔
７３０  第１、２の実施形態の第一の内壁部
７４０  第１、２の実施形態の第二の内壁部
８３０  第３の実施形態の内壁部
８４０  第３の実施形態の第３の内壁部
８０１ａ  第３の実施形態の基板収納体の側壁部
８０２ａ  第３の実施形態の蓋体の側壁部
８１２ａ  第３の実施形態の封止ピンの係止片
９０１  第４の実施形態のワンウェイネジ
９１４  第４の実施形態の基板側封止部の外壁部
９２０ａ  第４の実施形態の蓋側封止部の周壁部
９３０  第４の実施形態の内壁部
９４０  第４の実施形態の第三の内壁部
【図１】
0005277454.tif 000002
【図２】
0005277454.tif 000003
【図３】
0005277454.tif 000004
【図４】
0005277454.tif 000005
【図５】
0005277454.tif 000006
【図６】
0005277454.tif 000007
【図７】
0005277454.tif 000008
【図８】
0005277454.tif 000009
【図９】
0005277454.tif 000010
【図１０】
0005277454.tif 000011
【図１１】
0005277454.tif 000012
【図１２】
0005277454.tif 000013
【図１３】
0005277454.tif 000014
【図１４】
0005277454.tif 000015
【図１５】
0005277454.tif 000016
【図１６】
0005277454.tif 000017
【図１７】
0005277454.tif 000018
【図１８】
0005277454.tif 000019